(57)【要約】【課題】数本のパイプを連結してバスタオルやシーツなど大きな洗濯物を一度に複数枚干せる、伸縮性洗濯物干し具を提供する。【解決手段】  数本のパイプを連結して、かつ伸縮ができる。その本体とハンガー吊持具を両端に装着して竿に掛けて使用することを特徴とした伸縮性洗濯物干し具である。【選択図】  図８
2006280872.tif 000002
【特許請求の範囲】
【請求項１】
対向する位置に配置される一対の支持具と、前記支持具に物干し竿等に吊るす吊持具と、前記支持具間に並列に設けられた複数の物干し部からなり、前記物干し部は伸縮する手段を備えたことを特徴とする物干し具。
【請求項２】
前記物干し部は、複数の物干し部に回動する手段を備え、前記支持具にそれぞれ設けられた複数のピンチの物吊持具を具備することを特徴とする請求項１記載の物干し具。
【発明の詳細な説明】
【技術分野】
【０００１】  本発明は、１対の支持具の間に、複数本のパイプを並列に連結した物干し具に関するもので、バスタオルやシーツ等を一度に複数枚干すことができ、また靴下やストッキングなどの小物類も干せ、使い方によっては枕やクッション等も干せる用途幅の広い物干し具である。
【背景技術】
【０００２】  従来、バスタオルやシーツ等は１本の竿に広げて干すか、ピンチハンガーを利用して干すかのどちらかであるが、竿に干す場合はシーツやバスタオル等の大きな洗濯物を広げて干すと竿の占有率が高いので通常の１本の竿に干せる枚数はシーツだけで２枚、バスタオルなら３枚か４枚程度であるが、これだけ干すとほかの洗濯物を干す場所がなくなり、又バスタオルなど何枚も竿全体に広げられた洗濯物は見た目にも見苦しかった。シーツやバスタオル等をピンチハンガーに干す場合は、何箇所もピンチで挟まなければならないので、ピンチで挟んだ跡がついたり型崩れしたりして、たたむときに形を整える手間がかかる。ほかにも洗濯物があり、シーツやバスタオル等を複数枚干すためには数本の竿が必要になる。しかし最近の集合住宅においては洗濯物干し場が狭いため何本もの竿を使用することが不可能の場合が多い。さらに枚数多くのバスタオルやシーツ等を干すには、干す手間や時間もかかっていた。
【発明の開示】
【発明が解決しようとする課題】
【０００３】  上記のごとく、従来の洗濯物を干す場合、次のような問題点があった。
バスタオルやシーツなど含めた大量の洗濯物を干す場合は数本の竿が必要であるが、集合住宅等は洗濯物の干し場が狭いため何本もの竿を並べて利用することが不可能であった。従って手軽なピンチハンガーを利用する場合が多いが、バスタオルやシーツ等をピンチハンガーに干す場合は、形を整えながら干すための時間と手間がかかり、またピンチに吊り下げる為、形崩れしてたたむ時にも形を整える手間と時間が二重にかかっていた。【０００４】  バスタオルやシーツ等、急に雨が降り出した時に急いで室内に取入れたり、雨がやんだら再度竿に干し直したりと手間がかかっていた。また梅雨時や冬季や天気の悪い日は乾きが悪く、夜間に部屋の中に取入れても干し場所がなく苦労していた。そしてピンチハンガーに干した場合はバスタオル等の大きな洗濯物が何枚も吊下がっていると部屋の中がとても見苦しかった。【０００５】  狭いベランダなどでは数個の枕やクッション等を干したいと思っても干し場所を確保することが困難であったし、セーターやおしゃれ着などを洗った時の水切りする場所の確保が困難であった。
本発明は、これらの問題点を解決し狭い場所でも手際よく大量の洗濯物が干せて、且つ型崩れなく、見た目にもすっきりと干すことのできる洗濯物干し具を提供することである。
【課題を解決するための手段】
【０００６】  本発明は、複数本の連結した物干し部に吊持具部を装着して一体化にした物で、これを竿に掛けて使う物干し具であるが、上記手段とは、大径パイプ内に小径パイプを挿入した１本のパイプを数本並列に連結して、且つ大径パイプ内に挿入した小径パイプを摺動させ、物干し部の長さを伸縮できる物干し具である。そして使わない時は吊持具部分を内側にたおして物干し部を収納することである。【０００７】  請求項２において、前記物干し部は、複数の物干し部に回動する手段を備え、前記支持具に設けられた複数のピンチの物吊持具を具備することを特徴とする物干し具である。
【発明の効果】
【０００８】  洗濯物干し場が狭く、何本もの竿を並べて利用することが不可能な場所等、バスタオルやシーツなど枚数多く干せない場所でも本発明の物干し具は、物干し部を形成する複数本のパイプによって構成されているため、これらのパイプをスペースに合わせて自在に伸縮させることで無駄なスペースをとらず、一枚分の幅があれば数本の竿を使用するのと同様に、一度にシーツやバスタオル等の大きな洗濯物を複数枚、簡単且つ容易に干すことができる。長いシーツやバスタオルなどの洗濯物はパイプに掛けて両端四隅を合わせ、下に引っ張りながら形を整えて干すので洗濯物が乾いた時に形崩れが少ないため、たたむときに形を整える手間が省ける。洗濯物を干す場合は通常二枚合わせてピンチで挟んで干すが、この干し具は支持具の側部に一組数個に組み合わせたピンチを複数箇所に設けてあり、一枚一枚洗濯物を挟むのに利用して残りのピンチは靴下などの小物類を干すのに適する。このように洗濯物を一枚一枚挟むことで洗濯物の風通しがよくなり早く乾かすことができるのである。洗濯物干し場の狭い場所でも、枚数多くの大きな洗濯物や小物類を効率よく干すことができ、干す時間と手間が大幅に短縮することができる。更に急な雨や夜間など洗濯物を取り入れて室内に干さなければならない場合に於いても、この物干し具をそのまま部屋の中に移動する事が出来、複数本のパイプが同時且つ自在に伸縮するため、部屋の広さに合わせて使用することができ、見た目にもすっきりとしていて見苦しさも少ない。更に干し直す場合そのまま外に移動すれば良く、このため干し直す時の手間がかからない。【０００９】  他の利用方法としてもタオルケットやマット類など厚手の物も数本のパイプを覆うようにして掛けて干すと風通しが良く、早く乾かすことができる。手洗いセーターやおしゃれ着類も、洗濯物の形を整え、パイプの上部にのせて水きりしながら型崩れを防ぎ乾かすことができる。又、今までは干し場所に困っていた枕やクッションなどもパイプの上部にのせて日に干すこともできる。そして不要時は吊部ハンガー部分を内側に折りたたみ、場所を取らずに収納することができる。このように、本発明の物干し具を使用すると、せまいベランダでも大量のバスタオルやシーツ等が干せ、また、多用途の使い方ができる物干し具である。
【発明を実施するための最良の形態】
【００１０】  以下、本発明の実施の形態について説明すると、対向する位置に配置される一対の支持具４、４と、支持具を物干し竿に吊るすための吊持具５、５と、複数の物干し部１からなり、支持具４、４は複数の物干し部１を設けるための固定部を設けても良く、このとき固定部は物干し部１を挿入可能な形状であることが望ましい。【００１１】  更に支持具４、４の適宜位置に、この支持具４、４を物干し竿又はフック等に掛吊りのための吊持具５、５を設けてあり、吊持具５、５は支持具の上面にヒンジを介して設けると良く、リング等を介して設けることも可能である。【００１２】  又、物干し部１はパイプ状であって、大径２に小径３を挿入し、滑動して伸縮するように形成してあり、この時大径２の一端を絞り込み小径３の一端を突出しさせて形成し、伸長時、大径の一端２Ａと小径の一端３Ａが当接して脱落を防止するように形成することが望ましい。更に補強を保つ為に物干し部１を図４のように左右交互並列に複数本、連結することが望ましい。【００１３】  吊持具フック６は定まった方向に固定せずに、方向変更が可能の形状にすることが望ましい。【００１４】  そして、支持具４、４に複数のピンチ掛け部９を設けると良く、図７のピンチを、ピンチ掛け部９を介して掛け止めてある。【００１５】  複数の物干し部を連結したパイプの端を支持具４に挿入固定するための固定部を、支持具４と一体に設けると良く、この物干し具を使用する時は吊持具６、６を竿に掛けて洗濯物の幅にあわせて自在に物干し部１をスライドさせて使用するものである。また使用しない場合は吊支持具５、５を内側に折り曲げて収納する。
【実施例１】
【００１６】  以下、本発明の実施例１について、図面を基準に説明すると、図１に於いて、対向する位置に配置される支持具４、４の内側に複数の物干し部１を設けてある。この物干し部は大径と小径のパイプ状を用いてもよく、図２に示すように、大径に小径を挿入し、なめらかに滑動する程度がよく、大径の一端２Ａを絞り込んだ係止部２Ｂを形成し、小径の一端３Ａには係止部３Ｂに当接して係止される突出し部を形成すると良い。【００１７】  また、この場合係止部及び、突出部は他に部品を形成して構成することも可能で、物干し部１にパイプ状を用いた場合、物干し部１は支持具４、４の側面に物干し部１の一端を挿入固定するための固定部１Ａを設けると良く、この場合支持具４と一体に形成すると良い。【００１８】  更に、支持具４の上面に吊持具５を設けると良く、図３に示すように吊持具５と支持具４の関係は、合成樹脂等を素材として、ヒンジを介して一体成型としてもよく、また吊持具５と支持具４を別々に成型してもよく、この場合支持具４に開口部４Ｅを設け、この開口部にチョウバン又はリング、又は紐状等の接続具を介して連結して形成しても良い。更に、物干し部１を形成するに当たって、大径パイプ２Ａと小径パイプ３Ａの連結２Ａと３Ａの関係について述べれば、物干し部１の中心からずらした位置に、例えば左右交互になる様に設けると良く、この時、複数の物干し部１を伸張した状態で生ずる物干し部１のたわみを防止するよう構成してある（図４）。【００１９】  洗濯物干し場が狭くてシーツやバスタオルなど枚数多く干せない所でも、本発明の物干し具は物干し部を形成する複数本のパイプが自在に伸縮するように構成されているため、この物干し具をスペースに合わせて自在に伸縮させることで、通常１本の竿が複数本の竿を使用するのと同様に、シーツやバスタオル等の大きな洗濯物を複数枚干すことができる。長いシーツやバスタオル等の洗濯物はパイプに掛けて、両端四隅を合わせ、下に引っ張り形を整えながら干すので型崩れが少なく、きれいに容易に干すことができる（図１１）。従って、洗濯物が乾いてたたむ時に形を整える手間が省ける。洗濯物を干す場合は、通常二枚合わせてピンチで挟んで干すが、この干し具は支持具の側部両端に一組数個に組み合わせたピンチを複数箇所設けてあり、一枚一枚洗濯物を挟むのに利用し、残りのピンチは靴下などの小物類を干すのに使い分けすると便利である。このように洗濯物を一枚一枚挟むことで洗濯物の風通しがよくなり、早く乾かすことができるのである。洗濯物の干し場の狭い場所でも枚数多くの大きな洗濯物や小物を効率よく干すことができ、干す時間と手間が大幅に短縮し、綺麗に干すことができる。更に急に雨が降り出した時や夜間等、室内に洗濯物を干す場合、外で干してある状態のまま本発明の物干し具と供に室内に移動させて干す事ができ、又室内から室外に移動して干し直す際も同様であるから、干し直しの手間や時間も省くことが出来る。更に本発明の物干し具を使用しない場合は、吊持具５、５を内側に倒して折りたたみ、且つ物干し部１を縮めれば極めてコンパクトな状態（図１２）で収納することができる。
【実施例２】
【００２０】  本発明の実施例２について説明すると、図５に示すように開口部８Ｂを設けてピンチ８に設けた連結部８Ａを保持する保持部９Ａを設けてあり、この場合保持部９Ａは支持具４の適宜位置に開口状の保持部９Ａとしてもよく、連結部８Ａの端部を挿通し、結び目を設けて脱落を防止することも良く又はピンチ８を連結具８Ａの端部８Ａの一端に挿入して支持部４に結びつけても良く、この実施例に於いても実施例１と同様の作用及び効果を得ることができる。
【実施例３】
【００２１】  実施例に於いては、支持具４にピンチ８を設けるに当たって、支持具４の側部に連結具８Ａの端部に開口部８Ｂを設け（図６）、この開口部８Ｂに挿入保持するピンチ掛け部９を設けてもよく（図７）、この時ピンチ掛け部９は折山釘様に形成してもよいが、傘状の頭部を設けた突起としてもよく、この場合連結具８Ａの端部に設けた開口部８Ｂを挿通可能で且つ脱落しにくい形状であることが好ましく、本実施例に於いては実施例２と同様の作用と効果を得ることができる。
【実施例４】
【００２２】  又、実施例４に於いては（図９）、支持部４に物干し部１を設けるに当たって、支持具４に開口部４Ａを設けるとともに、この開口部４Ａに挿入し、物干し部１に挿通し、且つ物干し部１を安定的に固定するためのパイプ止めキャップ１０を挿入し更に物干し部１を挿通して、固定しても良くこの時、物干し部１を固定するに当たっては接着、又は圧着、又は打ち込む等によって設けることができ、キャップ１０は支持具４に接着等の手段によって固着することも可能であり実施例１と同様の作用と効果を得ることができる。
【実施例５】
【００２３】  実施例５に於いては、物干し部１を回動自在に、支持具４に設けるもので（図１０）、この場合、支持具４の適宜位置に複数の開口部４Ａを設け、この開口部４Ａにはそれぞれ回動体４Ｂを回動自在に挿入し、一端に物干し部１を挿通し、固着してある。更に回動体４Ｂの他端には溝４Ｃを設けてあり、この溝４Ｃには、リング状のストッパー４Ｄを挿入することで、開口部４Ａから回動体４Ｂが脱落しないように形成することも可能で、この場合バスタオルやシーツ等の大きな物を干す場合に於いて干そうとする物の一端を物干し部１に掛けて引くことにより、物干し部１が回動し、容易に洗濯物を干す事が可能であり、他の実施例と同様の作用と効果を得ることができる。
【図面の簡単な説明】
【００２４】
【図１】本発明の実施例１の物干し具の一部を示す斜視図である。
【図２】本発明の物干し具の物干し部と支持具の関係を示す実施例１の断面図である
【図３】本発明の実施例１の吊持具と支持部との関係を示す側面図である。
【図４】本発明の実施例１の大径パイプに小径パイプを挿入し、左右交互に並べ方を示す斜視図である。
【図５】本発明の実施例２の吊持具と支持部の関係を示す側面図である。
【図６】本発明の実施例３を示す平面図である。
【図７】本発明の実施例３を組立てた状態を示す側面図である。
【図８】本発明の実施例３の物干し具を組立てた状態を示す斜視図である
【図９】本発明の実施例４の物干し部の設け方を示す断面図である。
【図１０】本発明の実施例５の回動体を介して物干し部の設け方を示す断面図である。
【図１１】本発明の物干し具の使用状態を示す斜視図である。
【図１２】本発明の物干し具の収納時を示す正面図である。
【符号の説明と字】
【００２５】１    物干し部
２    大径パイプ
２Ａ  大径の一端
２Ｂ  係止部
３    小径パイプ
３Ａ  小径の一端
３Ｂ  係止部
４    支持具
４Ａ  開口部
４Ｂ  回動体
４Ｃ  溝
４Ｄ  ストッパー
４Ｅ  開口部
５    吊持具
６    吊持具フック
７    ヒンジ
８    ピンチ
８Ａ  連結部
８Ｂ  開口部
９    ピンチ掛け部
９Ａ  保持部
１０  キャップ
【図１】
2006280872.tif 000003
【図２】
2006280872.tif 000004
【図３】
2006280872.tif 000005
【図４】
2006280872.tif 000006
【図５】
2006280872.tif 000007
【図６】
2006280872.tif 000008
【図７】
2006280872.tif 000009
【図８】
2006280872.tif 000010
【図９】
2006280872.tif 000011
【図１０】
2006280872.tif 000012
【図１１】
2006280872.tif 000013
【図１２】
2006280872.tif 000014